(57)【特許請求の範囲】
【請求項１】
空気取り入れ部と、木材を加工したフィルター部と、空気排出部を備えた空気清浄機であって、
前記空気取り入れ部には、シロッコファンが設置されており、
前記フィルター部は、前記空気取り入れ部から取り入れた空気を前記空気排出部に送るための複数の空気通過口を備えており、
前記複数の空気通過口は、長手方向に沿って片面に複数の凹溝を備えた二枚の木材と両面に複数の凹溝を備えた複数の木材を、片面に複数の凹溝を備えた二枚の木材が両面に複数の凹溝を備えた複数の木材を挟むように、かつ、該凹溝が地面に対して垂直になるように設置することによって形成したものであることを特徴とする空気清浄機。
【発明の詳細な説明】
【技術分野】
【０００１】  本発明は、空気の浄化、殺菌、調湿作用を有する空気清浄機に関する。さらに言えばスギ・ヒノキ等の木材が持つ特性を利用することにより空気の浄化作用のみならず、殺菌作用、調湿作用、さらには精神安定効果、リラックス効果も有する空気清浄機に関する。
【背景技術】
【０００２】  森林には、大気浄化作用があることが知られているが、木材そのもの（特にスギの木・ヒノキ）も同様に大気浄化作用がある。即ち、木材そのもの（スギの木やヒノキ）は、大気汚染物質、タバコ等に含まれるホルムアルデヒドやオゾン等の有害物質や生活臭を効果的に吸収することが知られている。さらに、木材に含まれる精油の成分には、人に有益なフィトンチッド（殺菌作用がある）が多く含まれており、抗菌、防虫効果もある。さらに、スギの甘い豊かな芳香は、脳と自律神経に直接作用して鎮静、リラックス効果があると言われている。【０００３】  一方、空気清浄機とは、空気中に浮遊する塵埃や花粉、ハウスダスト等を除去するための機器であり、エアクリーナーとも言う。現在、一般的な家電製品として流通している空気清浄機の多くは、花粉症対策としての需要が大きく、微粒子である花粉、及び臭気を取り除く機能を有している。ファン式空気清浄機は、現在の主流となっている方式で、扇風機やエアコンと同じようにファンによって強制的に空気を吸い込んで、フィルターで濾過し、浄化された空気を吹き出す方式である。空気清浄機は、目の細かい不織布のフィルターで微粒子を集塵・濾過し、臭いについては活性炭等で吸着する。
【先行技術文献】
【特許文献】
【０００４】
【特許文献１】特開２００３−２３０８３１
【発明の概要】
【発明が解決しようとする課題】
【０００５】  木材を原料とした室内の揮発性有機化合物の吸収材として、特許文献１には、「木材を８００〜３０００℃で焼いた高温焼成木質炭と、木材を４００℃以上〜８００℃未満の温度で焼いた低温焼成木質炭とを重量割合で１０：１００〜１００：１の割合で混合した混合木質炭を含む吸着材、および前記の混合木質炭を、包袋に収容し、さらに該収容体を支持材にて保持してなるホルムアルデヒドなどの揮発性有機化合物の吸着材、および前記の吸着材を使用する室内の揮発性有機化合物の除去法。（特許文献１：要約の解決手段）」が記載されている。【０００６】  特許文献１に係る発明は、木材を原料として使用して室内の揮発性有機化合物を除去する方法であって、本発明のように、空気浄化作用のみならず、殺菌作用、調湿作用、さらには精神安定効果、リラックス効果も有するものではない。出願人らは、木材そのもの（特にスギの木・ヒノキ）の有する特性に着目し、鋭意研究を重ねた結果、空気浄化作用だけでなく、殺菌作用、調湿作用、消臭効果、さらには、リラックス効果を生かした空気清浄機を発明するに至った。【０００７】  本発明の目的は、国産材スギ・ヒノキ等の木材が持つ特性を利用することにより空気浄化作用のみならず、殺菌作用、調湿作用、消臭効果、さらには精神安定効果、リラックス効果も有する空気清浄機を提供することにある。
【課題を解決するための手段】
【０００８】
上記課題を解決するために、本願請求項１に記載した発明は、空気取り入れ部と、木材を加工したフィルター部と、空気排出部を備えた空気清浄機であって、前記空気取り入れ部には、シロッコファンが設置されており、前記フィルター部は、前記空気取り入れ部から取り入れた空気を前記空気排出部に送るための複数の空気通過口を備えており、前記複数の空気通過口は、長手方向に沿って片面に複数の凹溝を備えた二枚の木材と両面に複数の凹溝を備えた複数の木材を、片面に複数の凹溝を備えた二枚の木材が両面に複数の凹溝を備えた複数の木材を挟むように、かつ、該凹溝が地面に対して垂直になるように設置することによって形成したものであることを特徴とする空気清浄機であることを特徴とするものである。
【００１０】
【発明の効果】
【００１２】  本発明によれば、室内空気の浄化作用が図られ、大気汚染物質、そして、化学物質過敏症の人が罹る喘息等の呼吸器疾患の主因である二酸化窒素（ＮＯ２）、ホルムアルデヒド、オゾン、ＰＭ２．５を吸収し、室内空気を浄化するのみならず、室内湿度を調整することができるようになった。室内湿度を５０％〜６０％に調整することができるのでインフルエンザ菌の繁殖を抑え、カビの発生やダニの活性化を抑えることができるようになった。そして、フィトンチッドによる殺菌作用以外にも、木材（特にスギ・ヒノキ）が放出するセドロール、天然セキステルベン類による効果として鎮静効果・リラックス効果が期待できるようになった。
【図面の簡単な説明】
【００１３】
【図１】空気清浄機の正面図、及びフィルター部の上面図である。
【図２】フィルター部の斜視図である。
【発明を実施するための形態】
【００１４】＜空気清浄機の構造＞
以下、本発明に係る空気清浄機１０について、図１〜図２を参照しつつ詳細に説明する。図１は、本発明に係る空気清浄機１０の正面図、及びフィルター部３０の上面図である。
【００１５】  本発明に係る空気清浄機１０は、図１の正面図に記載したように、空気取り入れ部２０と、木材を加工したフィルター部３０と、空気排出部４０を備えており、空気取り入れ部２０は、扇風機やエアコンと同じようにファンによって、空気清浄機１０の外部から、空気取り入れ口を通過させて、強制的に空気を吸い込むようになっている。使用されるファンは、空気の押し出しに向くプロペラファン（扇風機等のファン）ではなく、吸い込みに適するシロッコファン（天井据付式の換気扇等に使われる）である。
【００１６】  図１の上面図に記載したように、フィルター部３０は、空気取り入れ部２０から吸い込んだ空気が、空気排出部４０に向かって通過できるようにするため、空気通過口５０として、凹溝を備えた複数の木材を、空気の通過方向に沿って設置している。
【００１７】  本発明に係る空気清浄機１０は、図２に記載したように、空気通過口５０として機能するように、凹溝を備えた複数の木材を、空気の通過方向に沿って設置していることに特徴がある。空気通過口５０の有する縦長の空間には、木材（スギ・ヒノキ等）が有する精油成分が放出されて蓄積されている。縦長の空間があることにより、スギの木の持つ特性を引き出すようにすることができる。
【００１８】  フィルター部３０は、大気汚染物質、化学物質過敏症の人が罹る喘息等の呼吸器疾患の主因である二酸化窒素（ＮＯ２）、ホルムアルデヒド、オゾン、ＰＭ２．５等を吸収し、固定する機能を有している。そして、フィルター部３０を通過した浄化された空気は、空気排出部４０から、空気清浄機１０の外へと流れ出す。この時、スギの甘い豊かな芳香（セドロール、天然セキステルベン等）も伴って、空気清浄機１０の外（室内）へと流れ出す。
【００１９】  ＜空気清浄機の効果＞
本発明に係る空気清浄機１０のフィルター部３０は、空気清浄機１０のフィルター部３０は内部（微細構造）に、二酸化窒素（ＮＯ２）を吸着し固定する機能、室内の有害化学物質（ホルムアルデヒド等）を吸着し固定する機能、湿気を吸放出する機能を有している。それ以外にも、脳と自律神経に直接作用して鎮静・リラックス効果があるとされるセドロール、天然セキステルベン類等を放出する。
【００２０】  これらの機能により、室内空気の浄化作用が図られ、大気汚染物質、そして、化学物質過敏症の人が罹る喘息等の呼吸器疾患の主因であるＮＯ２、ホルムアルデヒド、オゾン、ＰＭ２．５等を吸収し、室内空気を浄化するのみならず、室内湿度を調整することができるようになった。即ち、室内湿度を、人間が生活するのに最も好ましいとされる５０％〜６０％に調整できるのでインフルエンザ菌の繁殖を抑え（湿度５０％になるとインフルエンザの９７％が死滅する）、カビの発生やダニの活性化（湿度７０％以上で活性化する）を抑えることができるし、結果として、近年深刻な問題として注目されている幼児のアトピーによる肌荒れ（乾燥し過ぎによる）やアトピー性喘息（多湿気による）も抑えることができる。
【００２１】  そして、木材（特にスギ・ヒノキ）が放出するセドロール、天然セキステルベン類（αビネン）による効果として、鎮静効果・リラックス効果が期待できる。さらに、木材（特にスギ・ヒノキ）が含有する精油の成分に含まれるフィトンチッドによる殺菌効果もある。要するに、スギの木・ヒノキ等で構成されたフィルター部３０を循環風が通過する時、循環風は、木材との多大な接触面積を持ち、スギ・ヒノキ等の木の持つ人に有益な成分や特性（有害物質等の吸着、木材の香りを含んだ等）を含んだ新しい風に生まれ変わるわけである。これらの効果は人体に対して安全な天然物質によるものであるため副作用の心配が全く無い。
【００２２】＜空気清浄機の変更例＞
本発明に係る空気清浄機１０は、上記実施形態の態様に何ら限定されるものではなく、空気取り入れ部２０、フィルター部３０、空気排出部４０、空気通過口５０、凹溝６０等の構成を、本発明の趣旨を逸脱しない範囲で、必要に応じて適宜変更することができる。
【産業上の利用可能性】
【００２３】  本発明に係る空気清浄機は、上記の如く優れた効果を奏するものであるので、空気浄化作用のみならず、殺菌作用、調湿作用、さらには精神安定効果、リラックス効果も有する空気清浄機に関する分野で好適に用いることができる。
【符号の説明】
【００２４】  １０・・空気清浄機
２０・・空気取り入れ部
３０・・フィルター部
４０・・空気排出部
５０・・空気通過口
６０・・凹溝
【図１】
0006445851.tif 000002
【図２】
0006445851.tif 000003